(57)【要約】【課題】受注者及び発注者の業務負荷やシステム構築の負荷を軽減し、容易に利用することが可能な電子商取引システムを提供することである。【解決手段】サーバ５は、複数の受注者の端末装置７から送られる商品に関する情報を、標準化してデータベース１１のカタログデータ１３に登録し、管理する。また、複数の発注者の端末装置９から送られるカタログ注文情報に従って、カタログデータ１３から該当するデータを検索、編集、加工して各受注者用のカタログデータを作成し、配信する。更に、サーバ５は、端末装置９から送られる、カタログデータの商品に対する注文情報に従って、受注先の発注データ形式に合わせた発注情報１５を作成し、受注先の発注方式（ＦＡＸ、ｅ−ｍａｉｌ、ＸＭＬ、ＥＤＩ等）を用いて受注先の端末装置７等に送る。【選択図】　図１
2004013658.tif 000002
【特許請求の範囲】
【請求項１】
管理会社のサーバと、複数の受注者の第１の端末装置、及び複数の発注者の第２の端末装置とがネットワークを介して接続された電子商取引システムであって、
前記サーバは、
商品に関するカタログデータと複数の受注者に関する受注者情報とを保持するデータベースと、
前記第１の端末装置から送られる商品情報を、前記受注者情報に記録された該当する受注者のデータ形式を参照して標準化し、前記データベースに登録する手段と、
を具備することを特徴とする電子商取引システム。
【請求項２】
前記データベースは、複数の発注者に関する発注者情報を更に保持し、
前記サーバは、
前記第２の端末装置からのカタログデータ要求に従って、前記データベースから該当するカタログデータを検索・編集し、前記発注者情報に記録された該当する発注者のデータ形式に従い変換する手段と、
前記手段により作成されたカタログデータを前記第２の端末装置に配信する手段と、
を更に具備することを特徴とする請求項１に記載した電子商取引システム。
【請求項３】
前記第２の端末装置は、
前記サーバから送られるカタログデータに掲載された商品を発注するための注文情報を作成する手段と、
前記注文情報を前記サーバに送る手段と、
を具備し、
前記サーバは、
前記注文情報と前記受注者情報に記録された該当する受注者の発注データ形式と発注方式に従って発注情報を作成し、受注先の有する第１の端末装置に送る手段と、
を更に具備することを特徴とする請求項１に記載した電子商取引システム。
【請求項４】
複数の受注者の第１の端末装置、及び複数の発注者の第２の端末装置とネットワークを介して接続されたサーバであって、
商品に関するカタログデータと複数の受注者に関する受注者情報とを保持するデータベースと、
前記第１の端末装置から送られる商品情報を、前記受注者情報に記録された該当する受注者のデータ形式を参照して標準化し、前記データベースに登録する手段と、
を具備することを特徴とするサーバ。
【請求項５】
前記データベースは、複数の発注者に関する発注者情報を更に保持し、
前記サーバは、
前記第２の端末装置からのカタログデータ要求に従って、前記データベースから該当するカタログデータを検索・編集し、前記発注者情報に記録された該当する発注者のデータ形式に従い変換する手段と、
前記手段により作成されたカタログデータを前記第２の端末装置に配信する手段と、
を更に具備することを特徴とする請求項４に記載したサーバ。
【請求項６】
前記サーバは、
前記第２の端末装置から送られる前記カタログデータに掲載された商品に対する注文情報を受け付ける手段と、
前記注文情報と前記受注者情報に記録された該当する受注者の発注方式に従って発注情報を作成し、受注先の有する第１の端末装置に送る手段と、
を更に具備することを特徴とする請求項４に記載したサーバ。
【請求項７】
前記サーバは、
オークション機能を有することを特徴とする請求項４に記載したサーバ。
【請求項８】
コンピュータを請求項４から請求項７のいずれかに記載されたサーバとして機能させるプログラム。
【請求項９】
コンピュータを請求項４から請求項７のいずれかに記載されたサーバとして機能させるプログラムを記録した記録媒体。
【請求項１０】
管理会社のサーバとネットワークを介して接続された複数の発注者の第２の端末装置であって、
前記第２の端末装置は、
前記サーバから送られるカタログデータに掲載された商品を発注するための注文情報を作成する手段と、
前記注文情報を前記サーバに送る手段と、
を具備することを特徴とする端末装置。
【請求項１１】
コンピュータを請求項１０に記載された端末装置として機能させるプログラム。
【請求項１２】
コンピュータを請求項１０に記載された端末装置として機能させるプログラムを記録した記録媒体。
【発明の詳細な説明】
【０００１】
【発明の属する技術分野】
本発明は、ネットワークを介して企業間で電子商取引を行う電子商取引システムに関する。
【０００２】
【従来の技術】
従来、企業間の電子商取引においては、バイヤー企業やマーケットプレイス運営企業が、取引対象の各メーカー企業やサプライヤー企業と個別に交渉しながら、取引に使用する電子カタログデータの収集・加工・登録等の作業を行っている。また、商品を発注する際には、各サプライヤー企業の方式に従って発注情報を作成し、送ることを行っている。
【０００３】
【発明が解決しようとする課題】
しかしながら、個別に対応することによる業務負荷やシステム構築の負荷が非常に高いという問題がある。
【０００４】
本発明は、以上の点に鑑みてなされたものであり、受注者及び発注者の業務負荷やシステム構築の負荷を軽減し、容易に利用することが可能な電子商取引システムを提供することを目的とする。
【０００５】
【課題を解決するための手段】
前述した目的を達成するため、第１の発明は、管理会社のサーバと、複数の受注者の第１の端末装置、及び複数の発注者の第２の端末装置とがネットワークを介して接続された電子商取引システムであって、前記サーバは、商品に関するカタログデータと複数の受注者に関する受注者情報とを保持するデータベースと、前記第１の端末装置から送られる商品情報を、前記受注者情報に記録された該当する受注者のデータ形式を参照して標準化し、前記データベースに登録する手段と、を具備することを特徴とする電子商取引システムである。
【０００６】
ここで、サーバを有する管理会社とは、電子カタログデータの提供や発注情報処理その他のサービスを行う企業であり、第１の端末装置を有する受注者とは、商品カタログを発行して商品を販売するメーカー企業やサプライヤー企業であり、第２の端末装置を有する発注者とは、カタログデータを利用して商品を発注するバイヤー企業やマーケットプレイス運営企業である。
【０００７】
第１の発明では、サーバが、複数のメーカー企業やサプライヤー企業から端末装置を用いて送られるデータ形式の異なる商品情報を収集し、標準化してデータベースに登録し、一元的にデータベース管理しておく。
【０００８】
また、前記データベースは、複数の発注者に関する発注者情報を更に保持し、前記サーバは、前記第２の端末装置からのカタログデータ要求に従って、前記データベースから該当するカタログデータを検索・編集し、前記発注者情報に記録された該当する発注者のデータ形式に従い変換する手段と、前記手段により作成されたカタログデータを前記第２の端末装置に配信する手段と、を更に具備するようにしてもよい。
【０００９】
かかる構成により、バイヤー企業やマーケットプレイス運営企業の端末装置からの要求に従って、データベースに登録されたカタログデータから必要なカタログデータを検索、編集し、バイヤー企業やマーケットプレイス運営企業のデータフォーマットに変換、加工して配信することができる。
【００１０】
また、前記第２の端末装置は、前記サーバから送られるカタログデータに掲載された商品を発注するための注文情報を作成する手段と、前記注文情報を前記サーバに送る手段と、を具備し、前記サーバは、前記注文情報と前記受注者情報に記録された該当する受注者の発注データ形式と発注方式に従って発注情報を作成し、受注先の有する第１の端末装置に送る手段と、を更に具備するようにしてもよい。
【００１１】
かかる構成により、サーバが、バイヤー企業やマーケットプレイス運営企業の端末装置から送られる注文情報を受け付けて、受注先のサプライヤー企業の要望する形式で発注情報を作成し、サプライヤー企業の要望する方式で送信することができる。
【００１２】
【発明の実施の形態】以下、図に基づいて本発明の実施の形態を詳細に説明する。図１は、本発明の実施形態に係る電子商取引システム１の概略構成を示す図である。電子商取引システム１は、ネットワークを用いて、複数のメーカー企業やサプライヤー企業から収集した電子カタログデータを、バイヤー企業やマーケットプレイス運営企業に提供し、電子カタログデータに関する注文情報を受け付けて、サプライヤー企業に対して発注や納品支持を行うものである。
【００１３】
図１に示すように、電子商取引システム１は、ネットワーク３と、サーバ５、端末装置７、及び端末装置９等からなる。電子商取引システム１は、例えばインターネット等のネットワーク３を介して、管理会社のサーバ５と複数のメーカー企業またはサプライヤー企業等の受注者の端末装置７−１、７−２、…、７−ｍ、複数のバイヤー企業やマーケットプレイス運営企業等の発注者の端末装置９−１、９−２、…、９−ｎとが接続されて構成される。
【００１４】
サーバ５は、電子カタログデータの提供や発注情報処理その他のサービスを行う管理会社の運営するサーバであり、データベース１１を備える。データベース１１は、カタログデータ１３と、発注情報１５、及び顧客情報１７等を保持する。カタログデータ１３は、複数のメーカー企業やサプライヤー企業から収集した商品に関する情報であり、例えば図２に示すように、カタログ番号、メーカー名、商品コード、商品名、画像データ、サイズ、色、価格、説明文等を有する。
【００１５】
発注情報１５は、サーバ５が管理するカタログデータ１３に掲載された商品に関する発注情報であり、例えば図３に示すように、商品コード、商品名、サイズ、色、数量、発注日、受注先、納入先、納期等を有する。顧客情報１７は、予め入力された利用者（メーカー企業、サプライヤー企業、バイヤー企業、マーケットプレイス運営企業等）に関する情報であり、例えば図４に示すように、ユーザＩＤ、パスワード、企業名、住所、カタログデータ形式、発注データ形式、発注方式等を有する。
【００１６】
サーバ５は、各メーカー企業またはサプライヤー企業の端末装置７から送られる商品に関する情報を、顧客情報１７のカタログデータ形式を参照して標準化し、データベース１１のカタログデータ１３に登録し、管理する。また、バイヤー企業またはマーケットプレイス運営企業の端末装置９から送られるカタログ注文情報に従って、カタログデータ１３から該当するデータを検索、編集し、顧客情報１７のカタログデータ形式を参照して顧客用のカタログデータを作成し、配信する。
【００１７】
また、サーバ５は、端末装置９から送られる、カタログデータの商品に対する注文情報に従って、顧客情報１７の該当する受注先の発注データ形式に合わせた発注情報１５を作成し、受注先の発注方式（ＦＡＸ、ｅ−ｍａｉｌ、ＸＭＬ、ＥＤＩ等）を用いてサプライヤー企業の端末装置７等に送る。
また、サーバ５は、端末装置９からのカタログデータの商品に対するオークション参加、パンチアウトサイト等の要求に従って、サプライヤーＷｅｂサイトへリンクする等の処理を行ってもよい。
【００１８】
端末装置７は、メーカー企業またはサプライヤー企業が有するパーソナルコンピュータ等であり、販売する商品に関する商品データ５１をサーバ５に送り、データベース１１への登録を要求する。図５は、商品データ５１の一例を示す図であり、カタログ番号、商品コード、商品名、画像データ、サイズ、色、価格、説明文等を有する。また、サプライヤー企業が有する端末装置７は、サーバ５からカタログデータの商品に対する発注情報を受け取る。
【００１９】
端末装置９は、バイヤー企業またはマーケットプレイス運営企業が有するパーソナルコンピュータ等であり、サーバ５にカタログ注文情報を送信してカタログデータを要求し、また、サーバ５から配信されたカタログデータの商品に対する商品注文情報を作成し、サーバ５に送信して発注情報処理を要求する。
【００２０】
尚、電子商取引システム１において、サーバシステム５や端末装置７、及び端末装置９に用いられるプログラムは、ＣＤ−ＲＯＭ等に記録して流通させてもよいし、ネットワーク３を介して流通させてもよい。
【００２１】
次に、図６を参照して電子商取引システム１における、カタログデータ登録の処理手順を説明する。各メーカー企業またはサプライヤー企業が、端末装置７を用いてサーバ５に商品データ５１を送り、カタログデータの登録を要求すると（ステップ６０１）、サーバ５は、顧客情報１７の該当するカタログデータ形式を参照して受け付けた商品データ５１を標準化し、データベース１１のカタログデータ１３に登録する（ステップ６０２）。
【００２２】
例えば、家電メーカーＢが、図５に示すような自社製品の「冷蔵庫Ｘ」に関する商品データ５１をサーバ５に送り、カタログデータへの登録を要求すると、サーバ５はデータベース１１の顧客情報１７を検索し、家電メーカーＢのカタログデータ形式「カタログ形式ｂ」を参照して商品データ５１を読み込み、新たにカタログ番号を振り、メーカー名「Ｂ」を加える等して標準化し、図２に示すようにカタログデータ１３に登録する。
以上の処理手順により、複数のメーカー企業やサプライヤー企業からカタログデータを収集し、一元的にデータベース管理することができる。
【００２３】
図７を参照して、電子商取引システム１における、カタログデータ配信と発注情報処理の処理手順を説明する。バイヤー企業またはマーケットプレイス運営企業が、端末装置９を用いて商品の種類、メーカー名、サプライヤー名等からなる、カタログデータを希望する商品に関するカタログ注文情報をサーバ５に送ってカタログデータ配信を要求すると（ステップ７０１）、サーバ５は、カタログ注文情報に従って、カタログデータ１３から該当するデータを検索、編集し、顧客情報１７の該当するカタログデータ形式に従って加工して配信する（ステップ７０２）。
【００２４】
例えば、家電販売店Ｃが、図８に示すような端末装置９のディスプレイに表示されたカタログ注文画面８１に、家電メーカーＡ、家電メーカーＢ、冷蔵庫等の、カタログデータを希望する商品に関するキーワードを入力して作成したカタログ注文情報をサーバ５に送り、カタログデータ配信を要求する。サーバ５はデータベース１１のカタログデータ１３から、家電メーカーＡと家電メーカーＢの冷蔵庫に関するデータを検索して編集し、顧客情報１７を検索して家電販売店Ｃのカタログデータ形式「カタログ形式ｃ」を参照して、家電販売店Ｃ用のカタログデータを作成して配信する。
【００２５】
端末装置９は、サーバ５から配信されたカタログデータを外部記憶装置等に保存する（ステップ７０３）。図９は、端末装置９のディスプレイに表示されたカタログデータの一例である。端末装置９のユーザは必要に応じてカタログデータをディスプレイに表示し、商品を閲覧して注文する商品を決定し、商品コード、商品名等からなる商品注文情報を作成してサーバ５に送信し、発注情報処理を要求する（ステップ７０４）。
【００２６】
サーバ５は、商品注文情報に基づいて、顧客情報１７を参照して受注先の発注データ形式に合わせた発注情報１５を作成し、受注先の発注方式（ＦＡＸ、ｅ−ｍａｉｌ、ＸＭＬ、ＥＤＩ等）に合わせてサプライヤー企業の端末装置７に送る（ステップ７０５）。サプライヤー企業の端末装置７は、サーバ５から送られた発注情報を受け付ける（ステップ７０６）。
【００２７】
例えば、家電販売店Ｃが配信された家電販売店Ｃ用のカタログデータ（図９）を閲覧して家電メーカーＢの冷蔵庫Ｄの注文を決定し、図１０に示すような端末装置９のディスプレイに表示された商品注文画面１０１に、冷蔵庫Ｄの商品コード、商品名、希望する数量等を入力して商品注文情報を作成し、サーバ５に送信する。サーバ５は顧客情報１７を検索して受注先の家電メーカーＢの発注データ形式と発注方式を調べ、商品注文情報に従って、「発注形式ｂ」に合わせた発注情報１５を作成し、「ｅ−ｍａｉｌ」で家電メーカーＢの端末装置７に送る。
【００２８】
以上の処理手順により、複数のメーカー企業やサプライヤー企業から収集したカタログデータから、バイヤー企業やマーケットプレイス運営企業のニーズに応じた商品カタログを提供し、バイヤー企業やマーケットプレイス運営企業から受信した商品注文情報に従って、受注先のデータ形式に合わせて作成した発注情報を受注先の方式でサプライヤー企業に送信することが出来る。
【００２９】
上記のように本実施の形態によれば、サプライヤー企業とバイヤー企業それぞれが、個別に対応することによる業務負荷やシステム構築の負荷を減らすことが出来る。
【００３０】
【発明の効果】
以上、詳細に説明したように、本発明によれば、サプライヤー企業やバイヤー企業の業務負荷やシステム構築の負荷を軽減し、容易に利用することが可能な電子商取引システムを提供することができる。
【図面の簡単な説明】
【図１】電子商取引システム１の概略構成を示す図。
【図２】カタログデータ１３の一例を示す図。
【図３】発注情報１５の一例を示す図。
【図４】顧客情報１７の一例を示す図。
【図５】商品データ５１の一例を示す図。
【図６】カタログデータ登録の処理手順を示すフローチャート。
【図７】カタログデータ配信と発注情報処理の処理手順を示すフローチャート。
【図８】カタログ注文画面８１の一例を示す図。
【図９】カタログデータの表示例を示す図。
【図１０】商品注文画面１０１の一例を示す図。
【符号の説明】
１…電子商取引システム
３…ネットワーク
５…サーバシステム　　７…端末装置
９…端末装置
１１…データベース
１３…カタログデータ
１５…発注情報
１７…顧客情報
５１…商品データ
８１…カタログ注文画面
１０１…商品注文画面
【図１】
2004013658.tif 000003
【図２】
2004013658.tif 000004
【図３】
2004013658.tif 000005
【図４】
2004013658.tif 000006
【図５】
2004013658.tif 000007
【図６】
2004013658.tif 000008
【図７】
2004013658.tif 000009
【図８】
2004013658.tif 000010
【図９】
2004013658.tif 000011
【図１０】
2004013658.tif 000012